(57)【要約】【課題】照明装置と調光装置の関連付けを正確且つ簡単容易に行うことのできる電力線通信照明システムを提供する。【解決手段】互いに電力線通信が可能な複数の照明装置４０、複数の調光装置３０及び情報記憶端末２０を備えた電力通信照明システム１において、無線通信が可能で、照明装置４０及び調光装置３０と無線通信を行い照明装置４０又は調光装置３０から情報記憶端末２０に照明識別情報４５及び調光識別情報３５を送信させる操作端末５０を設け、情報記憶端末２０は操作端末５０により送信させられた照明識別情報４５及び調光識別情報３５に基づいて関連情報２５を更新する。【選択図】図２Ａ
2011035623.tif 000002
【特許請求の範囲】
【請求項１】
電力線と、
前記電力線に接続されて照明用の電力が供給され、個体識別用の照明識別情報が記憶された記憶部を有し、電力線通信及び無線通信が可能な複数の照明装置と、
前記電力線に接続され、前記照明装置の照明状態の調光入力が可能な調光操作部と、個体識別用の調光識別情報が記憶された記憶部と、を有し、電力線通信及び無線通信が可能な複数の調光装置と、
前記電力線に接続され、前記照明識別情報と前記調光識別情報とを関連付けた関連情報が記憶された記憶部を有し、電力線通信が可能な情報記憶端末と、
無線通信が可能で、前記関連情報の更新入力を受け付ける入力部と、前記入力部にて前記更新入力を受け付けると新たに関連付けられる前記照明装置及び前記調光装置と無線通信を行い前記照明装置又は前記調光装置から前記情報記憶端末に前記照明識別情報及び前記調光識別情報を送信させる情報処理部と、を有する操作端末と、を備え、
前記情報記憶端末は、前記操作端末の前記情報処理部により送信させられた前記照明識別情報及び前記調光識別情報に基づいて前記関連情報を更新する電力線通信照明システム。
【請求項２】
前記操作端末は、前記情報記憶端末に着脱自在に設けられる請求項１に記載の電力線通信照明システム。
【請求項３】
前記無線通信は、赤外線通信である請求項２に記載の電力線通信照明システム。
【請求項４】
前記操作端末は、前記照明装置以外の他の装置の操作が可能である請求項３に記載の電力線通信照明システム。
【請求項５】
前記操作端末は、携帯電話端末又は携帯音楽端末である請求項３に記載の電力線通信照明システム。
【発明の詳細な説明】
【技術分野】
【０００１】
本発明は、電力線通信照明システムに関する。
【背景技術】
【０００２】
従来、家庭用の情報盤と屋内機器と端末器とを屋内の配線に接続し、情報盤から電力線通信により端末器を介して屋内機器の制御を行うホームコントロールシステムが提案されている（例えば、特許文献１参照）。特許文献１のシステムでは、屋内機器に付属するリモコン装置による制御を、端末器を介しておこなうための赤外線通信手段を端末器に設けている。
【０００３】
また、通信環境に応じて有線通信も無線通信も行うことができ、無線通信装置による通信状況が悪い場合には通信方式切替手段を用いて有線通信装置に切り替えて通信させ、逆に有線通信装置による通信状況が悪い場合には通信方式切替手段を用いて無線通信装置に切り替えて通信させる通信システムも提案されている（例えば、特許文献２参照）。
【先行技術文献】
【特許文献】
【０００４】
【特許文献１】特開平８−１８２０６４号公報
【特許文献２】特開２００２−３１９９４７号公報
【発明の開示】
【発明が解決しようとする課題】
【０００５】
ところで、電力線通信により複数の照明装置を複数の調光装置により制御する場合は、各照明装置と各調光装置の関連付けを行う必要がある。しかしながら、これらの関連付けを電力線に設けられた端末により行うとなると、作業者は予め各照明装置及び各調光装置の設置位置と識別情報を正確に把握した上で作業しなければならず、作業者の負担が大きく、誤った関連付けを行うおそれもある。
【０００６】
本発明は、前記事情に鑑みてなされたものであり、その目的とするところは、照明装置と調光装置の関連付けを正確且つ簡単容易に行うことのできる電力線通信照明システムを提供することである。
【課題を解決するための手段】
【０００７】
前記目的を達成するため、本発明では、電力線と、前記電力線に接続されて照明用の電力が供給され、個体識別用の照明識別情報が記憶された記憶部を有し、電力線通信及び無線通信が可能な複数の照明装置と、前記電力線に接続され、前記照明装置の照明状態の調光入力が可能な調光操作部と、個体識別用の調光識別情報が記憶された記憶部と、を有し、電力線通信及び無線通信が可能な複数の調光装置と、前記電力線に接続され、前記照明識別情報と前記調光識別情報とを関連付けた関連情報が記憶された記憶部を有し、電力線通信が可能な情報記憶端末と、無線通信が可能で、前記関連情報の更新入力を受け付ける入力部と、前記入力部にて前記更新入力を受け付けると新たに関連付けられる前記照明装置及び前記調光装置と無線通信を行い前記照明装置又は前記調光装置から前記情報記憶端末に前記照明識別情報及び前記調光識別情報を送信させる情報処理部と、を有する操作端末と、を備え、前記情報記憶端末は、前記操作端末の前記情報処理部により送信させられた前記照明識別情報及び前記調光識別情報に基づいて前記関連情報を更新する電力線通信照明システムが提供される。
【０００８】
上記電力線通信照明システムにおいて、前記操作端末は、前記情報記憶端末に着脱自在に設けられることが好ましい。
【０００９】
上記電力線通信照明システムにおいて、前記無線通信は、赤外線通信であってもよい。
【００１０】
上記電力線通信照明システムにおいて、前記操作端末は、前記照明装置以外の他の装置の操作が可能であることが好ましい。
【００１１】
上記電力線通信照明システムにおいて、前記操作端末は、携帯電話端末又は携帯音楽端末であってもよい。
【発明の効果】
【００１２】
本発明によれば、電力線通信照明システムにおいて、照明装置と調光装置の関連付けを正確且つ簡単容易に行うことができる。
【図面の簡単な説明】
【００１３】
【図１】図１は、本発明の一実施形態を示す電力線通信照明システムの概略説明ブロック図である。
【図２Ａ】図２Ａは、ホスト端末、調光装置、照明装置及び操作端末の説明ブロック図であり、操作端末がホスト端末に取り付けられた状態を示している。
【図２Ｂ】図２Ｂは、ホスト端末、調光装置、照明装置及び操作端末の説明ブロック図であり、操作端末がホスト端末から取り外された状態を示している。
【図３】図３は、調光識別情報と照明識別情報とが対応付けられたテーブルであり、（ａ）は一部の照明識別情報が調光識別情報と対応付けられていない状態を示し、（ｂ）は全ての照明識別情報が調光識別情報と対応付けられた状態を示す。
【図４Ａ】図４Ａは、電力線通信照明システムの動作を示すフローチャートである。
【図４Ｂ】図４Ｂは、電力線通信照明システムの動作を示すフローチャートである。
【図５】図５は、他の実施形態を示すホスト端末、調光装置、照明装置及び操作端末の説明ブロック図である。
【図６】図６は、他の実施形態を示す電力線通信照明システムのフローチャートである。
【図７】図７は、他の実施形態を示すホスト端末、調光装置、照明装置及び操作端末の説明ブロック図である。
【発明を実施するための形態】
【００１４】
図１は、本発明の一実施形態を示す電力線通信照明システムの概略説明ブロック図である。
図１に示すように、電力線通信照明システム１は、電力線１０と、電力線１０に接続されたホスト端末２０と、電力線１０に接続された複数の調光装置３０と、電力線１０に接続された複数の照明装置４０とを備えている。本実施形態においては、電力線通信照明システム１は家屋の照明に用いられ、電力線１０は照明装置４０の他に屋内の各電化製品等に電力を供給している。また、電力線通信照明システム１は、各調光装置３０及び各照明装置４０と無線通信が可能な操作端末５０を備えている。各調光装置３０及び各照明装置４０は建物の壁部に固定され、操作端末５０は携帯可能となっている。
【００１５】
図２Ａは、ホスト端末、調光装置、照明装置及び操作端末の説明ブロック図であり、操作端末がホスト端末に取り付けられた状態を示している。
図２Ａに示すように、照明装置４０は、電力線１０を介して他の機器と通信を行う電力線通信部４１と、家屋における所定領域に光を照射する発光部４２と、電力線通信部４１にて受信した調光制御に関する情報に基づいて発光部４２を制御する発光制御部４３と、を有している。電力線通信部４１は、例えば、電力線通信に対応したモデムである。発光部４２の構成は任意であるが、例えば、電力が供給されると発光する蛍光灯、電球、ＬＥＤ（Light Emitting Diode）等である。照明装置４０は、例えば、部屋全体に光を照射する室内灯や、局所的に光を照射するスタンド、足下灯である。
【００１６】
また、照明装置４０は、電力線通信部４１とは別個に、無線通信として赤外線通信が可能な赤外線通信部４４を有している。尚、無線通信は、赤外線通信以外にも、例えばブルートゥース（Bluetooth）、ジグビー（ZigBee）等のような小電力無線通信であってもよい。赤外線通信部４４は、例えば、赤外線通信に対応したモデムである。電力線通信と赤外線通信とに対応したモデムを使用することにより、電力線通信部４１と赤外線通信部４４とを一体的に構成することもできる。さらに、照明装置４０は、他の照明装置４０と区別するための照明識別情報４５が記憶された記憶部４６と、電力線通信部４１又は赤外線通信部４４からの要求に応じて記憶部４６の照明識別情報４５を当該通信部４１，４４へ送信する識別情報処理部４７と、を有している。ここで、一の電力線通信照明システム１内においては、各照明装置４０に別個の照明識別情報４５が割り当てられている。照明識別情報４５は、他の照明装置４０と区別できるものであれば任意であるが、例えば複数の桁の数字やアルファベットの組み合わせが用いられる。
【００１７】
図２Ａに示すように、調光装置３０は、電力線１０を介して他の機器と通信を行う電力線通信部３１と、照明装置４０の調光操作を受け付ける調光操作部３２と、調光操作部３２にて受け付けた調光操作に基づいて照明装置４０の調光制御のための情報を、電力線通信部３１を介して照明装置４０へ送信する調光制御部３３と、を有している。電力線通信部３１は、例えば、電力線通信に対応したモデムである。調光操作部３２の構成は任意であるが、例えば、オン・オフのスイッチ、光量制御のダイヤル等を有している。調光装置３０は、例えば、部屋毎に壁部に固定的に設けられている。調光装置３０は、電力線１０を介した電力線通信により、関連付けられた照明装置４０の発光状態を調整する。
【００１８】
また、調光装置３０は、電力線通信部３１とは別個に、無線通信として赤外線通信が可能な赤外線通信部３４を有している。赤外線通信部３４は、例えば、赤外線通信に対応したモデムである。電力線通信と赤外線通信とに対応したモデムを使用することにより、電力線通信部３１と赤外線通信部３４とを一体的に構成することもできる。さらに、調光装置３０は、他の調光装置３０と区別するための調光識別情報３５が記憶された記憶部３６と、電力線通信部３１又は赤外線通信部３４からの要求に応じて記憶部３６の調光識別情報３５を当該通信部３１，３４へ送信する識別情報処理部３７と、を有している。ここで、一の電力線通信照明システム１内においては、各調光装置３０に別個の調光識別情報３５が割り当てられている。調光識別情報３５は、他の調光装置３０と区別できるものであれば任意であるが、例えば複数の桁の数字やアルファベットの組み合わせが用いられる。
【００１９】
図２に示すように、ホスト端末２０は、電力線１０を介して他の機器と通信を行う電力線通信部２１と、照明装置４０の調光操作を受け付ける調光操作部２２と、調光操作部２２にて受け付けた調光操作に基づいて照明装置４０の調光制御のための情報を、電力線通信部２１を介して照明装置４０へ送信する調光制御部２３と、を有している。電力線通信部２１は、例えば、電力線通信に対応したモデムである。調光操作部２２の構成は任意であるが、例えば、タッチパネルディスプレイ等を有し、複数の照明装置４０の１つを選択して発光状態の調整操作が可能なよう構成されている。ホスト端末２０は、電力線１０に固定的に設けられたものであってもよいし、電力線１０のコンセントに着脱自在に接続されるものであってもよい。
【００２０】
また、ホスト端末２０は、調光識別情報３５と照明識別情報４５とを関連付ける関連情報２５が記憶された記憶部２６と、電力線通信部２１からの要求に応じて記憶部２６の関連情報２５を更新したり電力線通信部２１へ送信する関連情報処理部２７と、を有している。関連情報２５の一例としては、図３（ａ）及び（ｂ）に示すように、調光識別情報３５と照明識別情報４５とが一対一で対応付けられたテーブルである。ここで、図３は、調光識別情報と照明識別情報とが対応付けられたテーブルであり、（ａ）は一部の照明識別情報が調光識別情報と対応付けられていない状態を示し、（ｂ）は全ての照明識別情報が調光識別情報と対応付けられた状態を示す。図３（ａ）及び（ｂ）においては、調光識別情報３５及び照明識別情報４５は、それぞれ二桁の数字となっている。一の電力線通信照明システム１内における調光識別情報３５と照明識別情報４５の関連情報２５については、ホスト端末２０に全て集約されている。
【００２１】
図２Ａに示すように、操作端末５０はホスト端末２０に取り付けることが可能となっており、この状態で操作端末５０の情報処理部５３は、ホスト端末２０の関連情報処理部２７と有線接続される。また、図２Ｂに示すように、操作端末５０は、ホスト端末２０から取り外して、調光装置３０及び照明装置４０と無線通信を行うことが可能となっている。ここで、図２Ｂは、ホスト端末、調光装置、照明装置及び操作端末の説明ブロック図であり、操作端末がホスト端末から取り外された状態を示している。
【００２２】
図２Ｂに示すように、操作端末５０は、無線通信として赤外線通信が可能な赤外線通信部５１と、関連情報２５の更新に関する入力を受け付ける入力部５２と、入力部５２にて更新入力を受け付けると新たに関連付けられる照明装置４０及び調光装置３０と無線通信を行い照明装置４０又は調光装置３０からホスト端末２０に照明識別情報４５及び調光識別情報３５を送信させる情報処理部５３と、を備えている。操作端末５０は、ホスト端末２０に備え付けの専用端末であってもよいし、照明装置４０以外の他の装置の操作が可能な共用端末であってもよく、例えば、テレビ、ビデオ、オーディオ機器等の操作端末と共用であってもよい。さらには、操作端末５０は、携帯電話端末又は携帯音楽端末であってもよい。
【００２３】
赤外線通信部５１は、例えば、赤外線通信に対応したモデムである。入力部５２の構成は任意であるが、例えば、関連情報２５の更新作業を開始するためのボタン、後述する表示部５４の表示内容に応じてＹｅｓやＮｏを入力するためのボタン等により構成することができる。また、操作端末５０は、関連情報２５の更新にあたって種々の情報を表示する表示部５４と、関連情報２５の更新にあたって作業者に状況を報知する報知部５５と、を備えている。表示部５４の構成は任意であるが、例えば、液晶ディスプレイ等により構成することができる。報知部５５の構成は任意であるが、例えば、ＬＥＤランプ、ブザー等により構成することができる。
【００２４】
図４Ａ及び図４Ｂは、電力線通信照明システムの動作を示すフローチャートである。
図４Ａに示すように、操作端末５０の情報処理部５３は入力部５２にて更新作業開始の入力を受け付けると（ステップＳ１）、表示部５４に調光装置３０の選択入力を受け付ける旨を表示する（ステップＳ２）。そして、情報処理部５３は入力部５２にて調光装置３０の選択入力を受け付けると（ステップＳ３）、赤外線通信可能な調光装置３０が存在するか否かを判別し（ステップＳ４）、存在すると判別した場合は調光装置３０に対して赤外線通信により調光識別情報３５を要求する（ステップＳ５）。すなわち、作業者は、選択すべき調光装置３０へ赤外線通信可能なように操作端末５０を指向させ、入力部５２から選択入力を行えばよい。ここで、赤外線通信可能な調光装置３０が複数存在した場合、最も通信状態の良好な装置と通信を行う。ステップＳ４にて、赤外線通信可能な調光装置３０が存在しないと判別した場合は、報知部５５により更新不能である旨を作業者に報知するとともに表示部５４に更新不能の旨を表示する（ステップＳ６）。例えば、報知部５５がブザーである場合はブザーを鳴らして作業者に報知すればよいし、報知部５５がＬＥＤランプである場合はＬＥＤランプを点灯又は点滅して作業者に報知すればよい。
【００２５】
ステップＳ５にて、調光装置３０に要求に関する信号が送信されると、調光装置３０の識別情報処理部３７は、記憶部３６の調光識別情報３５を読み出して、操作端末５０に対して赤外線通信により選択された調光識別情報３５を送信する（ステップＳ７）。そして、情報処理部５３は、選択された調光識別情報３５に関する情報を表示部５４に表示するとともに（ステップＳ８）、表示部５４に照明装置４０の選択入力を受け付ける旨を表示する（ステップＳ９）。例えば、選択された調光識別情報３５が、図３（ａ）における「１２」であった場合、「１２」を表示部５４に表示してもよいし、調光識別情報３５そのものでなく、作業者が区別できる程度の象徴的な数値、記号、名称等を表示部５４に表示してもよい。例えば、「リビング」、「キッチン」、「寝室」等のように、調光装置３０が備え付けられている部屋を表示するようにしてもよい。そして、情報処理部５３は操作端末５０の入力部５２にて照明装置４０の選択入力を受け付けると（ステップＳ１０）、赤外線通信可能な照明装置４０が存在するか否かを判別し（ステップＳ１１）、存在すると判別した場合は照明装置４０に対して赤外線通信により関連情報２５の照会を要求する（ステップＳ１２）。すなわち、作業者は、選択すべき照明装置４０へ赤外線通信可能なように操作端末５０を指向させ、入力部５２から選択入力を行えばよい。ここで、赤外線通信可能な照明装置４０が複数存在した場合、最も通信状態の良好な装置と通信を行う。ステップＳ１１にて、赤外線通信可能な照明装置４０が存在しないと判別した場合は、報知部５５により更新不能である旨を作業者に報知するとともに表示部５４に更新不能の旨を表示する（ステップＳ６）。
【００２６】
ステップＳ１２にて照明装置４０に照会に関する信号を送信されると、照明装置４０の識別情報処理部４７は、記憶部４６の照明識別情報４５を読み出して、ホスト端末２０に対して電力線通信により照明識別情報４５を送信するとともに当該照明識別情報４５と関連付けられた調光装置３０の現在の調光識別情報３５を要求する（ステップＳ１３）。この後、ホスト端末２０の関連情報処理部２７は、記憶部２６の関連情報２５を参照して、当該照明識別情報４５と関連付けられている現在の調光識別情報３５を電力線通信により照明装置４０に対して送信する（ステップＳ１４）。
【００２７】
ホスト端末２０から現在の調光識別情報３５が送信されると、識別情報処理部４７は、赤外線通信により操作端末５０に対して現在の調光識別情報３５と、選択された照明識別情報４５を送信する（ステップＳ１５）。そして、操作端末５０の情報処理部５３は、選択された照明装置４０の現在の調光識別情報３５に関する情報とともに、ステップＳ３にて選択された調光識別情報３５に関する情報を表示部５４に表示させ（ステップＳ１６）、表示部５４に照明装置４０と関連する調光装置３０を変更する旨を表示する（ステップＳ１７）。例えば、選択された照明装置４０が、図３（ａ）における「３２」であった場合、現在の調光識別情報３５は「無し」と、選択された調光識別情報３５は「１２」と表示部５４に表示してもよいし、各調光識別情報３５そのものでなく、作業者が区別できる程度の象徴的な数値、記号、名称等を表示部５４に表示してもよい。また、ステップ１６にて、調光識別情報３５に関する情報に加えて、選択された照明装置４０の照明識別情報４５に関する情報を表示部５４に表示させるようにしてもよい。この場合、選択された照明識別情報４５を「３２」のように表示してもよいし、各照明識別情報４５そのものでなく、作業者が区別できる程度の象徴的な数値、記号、名称等を表示部５４に表示してもよい。例えば、「間接照明」、「テレビ用」、「読書灯」等のように、照明装置３０の用途を表示するようにしてもよい。この後、情報処理部５３は、入力部５２から調光装置３０の変更入力を受け付けたか否かを判別し（ステップＳ１８）、変更入力を受け付けた場合は照明装置４０に選択された調光識別情報３５を送信するとともに関連情報２５の更新を要求する（ステップＳ１９）。尚、ステップＳ１８にて変更入力を受け付けなかった場合は処理を終了する。
【００２８】
ステップＳ１９にて更新の要求に関する信号が送信されると、照明装置４０の識別情報処理部４７は、ホスト端末２０に対して電力線通信により照明識別情報４５と選択された調光識別情報３５を送信するとともに、関連情報２５の更新を要求する（ステップＳ２０）。この後、ホスト端末２０の関連情報処理部２７は、選択された調光識別情報３５及び照明識別情報４５とが関連付けられるように、記憶部２６の関連情報２５を更新し（ステップＳ２１）、更新完了に関する信号を電力線通信により照明装置４０に対して送信する（ステップＳ２２）。例えば、選択された調光識別情報３５が図３（ａ）中における「１２」で照明識別情報４５が図３（ａ）中における「３２」であった場合、図３（ｂ）に示すように両者が関連付けられるように関連情報２５が更新される。
【００２９】
ホスト端末２０から更新完了に関する信号が送信されると、識別情報処理部４７は、赤外線通信により操作端末５０に対して更新完了に関する信号を送信する（ステップＳ２３）。そして、操作端末５０の情報処理部５３は、表示部５４に関連情報２５の更新が完了した旨を表示し（ステップＳ２４）、処理を終了する。
【００３０】
以上のように構成された電力線通信照明システム１によれば、調光装置３０の調光操作部３２により調光操作がなされると、これと関連付けられた照明装置４０の照明状態が調光操作に基づいて制御される。例えば、１つの調光装置３０に、同じ部屋の複数の照明装置４０が関連付けられれば、当該調光装置３０の操作により同じ部屋の複数の照明装置４０が同時に制御される。例えば、１つの照明装置４０に、複数の調光装置３０が関連付けられれば、いずれの調光装置３０によっても照明装置４０の制御が可能となる。
【００３１】
また、調光装置３０と照明装置４０の対応設定が必要な場合に、ホスト端末２０から操作端末５０を一時的に取り外して、操作端末５０と調光装置３０及び照明装置４０の間で無線通信を行うことにより、装置の対応設定の作業を行うことができる。従って、作業者は、ホスト端末２０、調光装置３０又は照明装置４０の交換等を行っても、調光装置３０又は照明装置４０の各識別情報３５，４５を知らずとも、照明装置４０と調光装置３０の関連付けを正確且つ簡単容易に行うことができる。
【００３２】
特に本実施形態においては、調光装置３０及び照明装置４０を操作端末５０で指向して入力操作をするだけでよいので、使い勝手がよく、実用に際して極めて便利である。また、作業者に対して各識別情報３５，４５そのものを提供しないようにし、作業者が区別できる程度の象徴的な数値、記号、名称等を表示部５４に表示することにより、各識別情報３５，４５が外部に流出する可能性が低く、セキュリティを高くすることができる。
【００３３】
尚、前記実施形態においては、照明装置４０がホスト端末２０と電力線通信による各識別情報３５，４５の送受信を行うものを示したが、調光装置３０がホスト端末２０と送受信を行うようにしてもよいし、調光装置３０と照明装置４０の両方が送受信を行うものであってもよい。また、前記実施形態においては、操作端末５０がホスト端末２０と着脱自在のものを示したが、ホスト端末２０と別個に操作端末５０を設けたものであってもよい。
【００３４】
また、前記実施形態においては、ホスト端末２０が赤外線通信を行わないものを示したが、例えば図５に示すように、ホスト端末２０が赤外線通信部２４を備えたものであってもよい。この場合、操作端末５０とホスト端末２０とで直接的に赤外線による通信を行うことができる。
【００３５】
また、前記実施形態においては、ステップＳ５，Ｓ７，Ｓ８にて操作端末５０と調光装置３０とで調光識別情報３５の要求、送信、表示を行って作業者に調光識別情報３５を確認させるものを示したが、例えば図６に示すように、操作端末５０から調光装置３０へ更新信号を送信し（ステップＳ１０５）、直ちに調光装置３０からホスト端末２０へ選択された調光識別情報３５を送信するようにしてもよい（ステップＳ１０７）。
【００３６】
また、ステップＳ１２からステップＳ２０にて操作端末５０及び照明装置４０と、照明装置４０及びホスト端末２０で、現在の調光識別情報３５及び選択された照明識別情報４５の要求、送信、表示等を行って作業者に情報を確認させるものを示したが、例えば図６に示すように、操作端末５０から照明装置４０へ更新信号を送信し（ステップＳ１１２）、直ちに照明装置４０からホスト端末２０へ選択された照明識別情報４５を送信するようにしてもよい（ステップＳ１１３）。
【００３７】
図６に示すフローチャートでは、前記実施形態のステップＳ５，Ｓ７，Ｓ８に代えてステップＳ１０５、ステップＳ１０７を用い、ステップＳ１２からステップＳ２０に代えてステップＳ１１２、ステップＳ１１３を用いるようにしたので、作業者による確認作業を省いて素早く調光装置３０及び照明装置４０の設定変更を行うことができる。
【００３８】
また、前記実施形態においては、操作端末５０に調光機能が付与されていなかったが、例えば図７に示すように、操作端末５０に調光制御部５６及び調光操作部５７を設け、操作端末５０により調光装置３０の調光操作を遠隔操作により行ってもよいし、操作端末５０により照明装置４０の調光操作を直接的に行ってもよい。これにより、電力線１０の通信が不調である場合に、操作端末５０を用いて無線通信により照明装置４０の調光を行うことができる。
【００３９】
また、前記実施形態においては、無線通信として赤外線通信を用いたものを示したが、ブルートゥース（Bluetooth）、ジグビー（ZigBee）等の他、照明装置４０の発光部４２を用いて可視光通信を行うようにしてもよい。さらに、ホスト端末２０にて照明装置４０の調光操作が可能なものを示したが、ホスト端末２０に調光操作部２２が存在しないものであってもよいし、その他、具体的な細部構造等についても適宜に変更可能であることは勿論である。
【符号の説明】
【００４０】
１    電力線通信照明システム
１０    電力線
２０    ホスト端末
２１    電力線通信部
２２    調光操作部
２３    調光制御部
２４    赤外線通信部
２５    関連情報
２６    記憶部
２７    関連情報処理部
３０    調光装置
３１    電力線通信部
３２    調光操作部
３３    調光制御部
３４    赤外線通信部
３５    調光識別情報
３６    記憶部
３７    識別情報処理部
４０    照明装置
４１    電力線通信部
４２    発光部
４３    発光制御部
４４    赤外線通信部
４５    照明識別情報
４６    記憶部
４７    識別情報処理部
５０    操作端末
５１    赤外線通信部
５２    入力部
５３    情報処理部
５４    表示部
５５    報知部
５６    調光制御部
５７    調光操作部
【図１】
2011035623.tif 000003
【図２Ａ】
2011035623.tif 000004
【図２Ｂ】
2011035623.tif 000005
【図３】
2011035623.tif 000006
【図４Ａ】
2011035623.tif 000007
【図４Ｂ】
2011035623.tif 000008
【図５】
2011035623.tif 000009
【図６】
2011035623.tif 000010
【図７】
2011035623.tif 000011